(57)【特許請求の範囲】
【請求項１】
エネルギー印加された眼科用レンズを形成する方法であって、
結合層を第１の鋳型部分に適用する工程と、
エネルギー源を、前記第１の鋳型部分に適用された前記結合層上に定置して、これにより前記第１の鋳型部分内の位置に前記エネルギー源を接着させる工程と、
反応性混合物を、前記第１の鋳型部分内に堆積させる工程と、
前記第１の鋳型部分との間に空洞を形成する第２の鋳型部分を、前記エネルギー源が前記空洞内の適所に前記結合層によって保持された状態で、前記第１の鋳型部分に近接して定置する工程と、
前記反応性混合物を重合して、重合レンズ材料を含む眼科用レンズを形成する工程とを含む、方法。
【請求項２】
前記結合層を予め重合する工程を追加的に含む、請求項１に記載の方法。
【請求項３】
前記結合層が、前記重合レンズ材料を有する相互貫通ポリマー網目構造を形成することができるポリマーを含む、請求項１に記載の方法。
【請求項４】
前記エネルギー源が可撓性基材に取り付けられ、前記可撓性基材が前記結合層と物理的に接触するように定置される、請求項１に記載の方法。
【請求項５】
視覚ゾーンを含む領域、及び前記視覚ゾーンの外側の領域を画定し、前記エネルギー源を前記視覚ゾーンの外側の前記領域に定置する工程を追加的に含む、請求項１に記載の方法。
【請求項６】
前記結合層が、ホモポリマー及びコポリマーのうちの一方又は両方を含む、請求項１に記載の方法。
【請求項７】
前記結合層が、官能基を有する、ポリマー及びコポリマーを含む結合ポリマーを含み、前記官能基が、前記結合ポリマーの前記ポリマー及びコポリマーを互いに相互作用可能にする、請求項１に記載の方法。
【請求項８】
１つ又は２つ以上の電流引き込み構成要素を位置付ける工程を追加的に含み、前記エネルギー源が、前記エネルギー源を１つ又は２つ以上の電流引き込み構成要素に接続する取り付け領域を含む、請求項１に記載の方法。
【請求項９】
エネルギー再印加構成要素を追加的に含む、請求項８に記載の方法。
【請求項１０】
前記エネルギー再印加構成要素が、光電装置、高周波吸収装置、誘導エネルギー結合装置、容量エネルギー結合装置、熱電装置、又は圧電装置のうちの少なくとも１つを含む、請求項９に記載の方法。
【請求項１１】
前記エネルギー再印加構成要素が、前記エネルギー装置にエネルギーを再印加するためにエネルギーを直接供給する、請求項１０に記載の方法。
【請求項１２】
前記エネルギー再印加構成要素が、前記エネルギー装置にエネルギーを再印加するために、エネルギー特性変換装置によって変更されたエネルギーを供給する、請求項１０に記載の方法。
【請求項１３】
前記エネルギー再印加構成要素が光電装置を含み、外部光源を含む、請求項１２に記載の方法。
【請求項１４】
前記エネルギー源がリチウムイオン電池である、請求項１に記載の方法。
【請求項１５】
前記電池が再充電可能である、請求項１４に記載の方法。
【請求項１６】
前記電池が単回使用電池である、請求項１４に記載の方法。
【請求項１７】
前記エネルギー源が、燃料電池、コンデンサ、圧電体、又は光電体のうちの少なくとも１つを含む、請求項１に記載の方法。
【請求項１８】
前記電池が封入された、請求項１４に記載の方法。
【請求項１９】
前記電池が完全な環状の形状に成形された、請求項１４に記載の方法。
【請求項２０】
前記電池が部分的な環状の形状に成形された、請求項１４に記載の方法。
【請求項２１】
前記電池の厚さが５００マイクロメートル未満である、請求項１４に記載の方法。
【請求項２２】
前記エネルギー源が半導体材料を含む、請求項１に記載の方法。
【請求項２３】
前記電流引き込み構成要素が印刷された構成成分を含む、請求項８に記載の方法。
【発明の詳細な説明】
【技術分野】
【０００１】
（関連出願の相互参照）
本出願は、２００８年９月２２日に出願された米国仮特許出願第６１／１９２，７６５号、表題「エネルギー印加された眼科用レンズ」、及びまた２００９年９月１０日に出願された米国特許出願第１２／５５７，０１６号、表題「エネルギー印加された眼科用レンズ」（一部継続出願として）に対する優先権を主張し、これらの内容は信頼され参照として組み込まれる。
【０００２】
（発明の分野）
本発明は、エネルギー印加された眼科用レンズを形成するための方法、及び装置、より具体的にはいくつかの実施形態においては、エネルギー印加された眼科用レンズの形成を促進するために眼科用レンズ鋳型内のエネルギー源、及び構成要素の１つ又は２つ以上を結合する方法に関する。
【背景技術】
【０００３】
従来、コンタクトレンズ、眼内レンズ、又は涙点プラグ等の眼科用装置には、矯正、美容、又は治療的クオリティを有する生体適合性装置が含まれていた。例えば、コンタクトレンズは、視力矯正機能、美容改善、及び治療効果のうちの１つ又は２つ以上を提供することができる。それぞれの機能は、レンズの物理的特性によって提供される。レンズに屈折性質を組み込む設計は、視力矯正機能を提供することができる。レンズに組み込まれる顔料は、美容強化を提供することができる。レンズに組み込まれる活性薬剤は、治療的機能を提供することができる。そのような物理的特性は、レンズをエネルギー印加状態にすることなく達成される。
【０００４】
更に近年では、活性成分は、コンタクトレンズに組み込まれ得ることが理論化されている。いくつかの成分は、半導体装置を含むことができる。いくつかの実施例は、動物の目に定置されたコンタクトレンズに組み込まれた半導体装置を示している。しかしながら、そのような装置は、自立的なエネルギー印加メカニズムに欠く。ワイヤは、そのような半導体装置に電力を供給するためにレンズから電池まで回すことがあるとはいえ、この装置は、無線で電力を供給し得ることが理論化されているが、そのような無線電力のためのメカニズムは、利用可能となってはいない。
【発明の概要】
【発明が解決しようとする課題】
【０００５】
したがって、眼科用レンズ内に１つ又は２つ以上の機能を提供するために好適な度合いでエネルギー印加された眼科用レンズを有することが望ましい。そのようにするため、眼科用レンズ内に使用可能なエネルギーを組み込むための方法、及び装置が利用可能でなくてはならない。
【課題を解決するための手段】
【０００６】
したがって、本発明は、眼科用レンズを形成するために使用される鋳型部分と物理的に接触する結合層上にエネルギー源を定置することにより、眼科用レンズ内に組み込まれたエネルギー印加された部分を有する、眼科用レンズなどの生物医学的装置を含む。いくつかの実施形態はまた、生体適合性の方法により眼科用レンズ内に収容された、電池、又は他のエネルギー源を有する鋳造成形されたシリコーンヒドロゲルコンタクトレンズを含む。これによりエネルギー印加された部分が、１つ又は２つ以上の電池をレンズ内に含めることで眼科用レンズ内に生成される。
【０００７】
いくつかの実施形態では、半導体装置、又は電流により動作する装置などの構成要素がまた、結合層上に定置され、眼科用レンズの形成中に適所に保持され、眼科用レンズ内に組み込まれてもよい。別の態様では、いくつかの実施形態において、エネルギー印加された装置が、眼科用レンズ内に組み込まれた半導体装置に電力を供給することができる。
【０００８】
典型的には、眼科用レンズは反応性モノマー混合物が曝露される化学線の制御によって形成される。反応性モノマー混合物はエネルギー源を囲み、これによってエネルギー源をレンズ内に組み込む。
【図面の簡単な説明】
【０００９】
【図１】本発明のいくつかの実施において使用され得る鋳型システムの代表的な実施形態。
【図２】エネルギーの再印加のための装置を含む、エネルギー印加された眼科用レンズの代表的な実施形態。
【図３】エネルギー再印加のための装置、及びエネルギー印加された構成要素を有するエネルギー印加された眼科用レンズの実施例。
【図４】エネルギー印加された眼科用レンズの実施例の断面図。
【図５】エネルギー源の代表的な設計形状。
【図６】本発明のいくつかの実施形態を実施するために使用され得る装置、及びオートメーションの記述。
【図７】エネルギー源、及び構成要素を有する眼科用レンズ。
【図８】本発明の実践において、実施され得る方法工程。
【発明を実施するための形態】
【００１０】
用語解説
本発明を目的とする本説明及び特許請求の範囲において、以下の定義が適用される、様々な用語が使用され得る。
【００１１】
エネルギー印加されたとは、電流を供給するか、又は内部に貯蔵される電気エネルギーを有することができる状態である。
【００１２】
エネルギー印加された眼科用レンズ：エネルギー印加された眼科用レンズとは、形成されたレンズに追加された、又は内部に埋め込まれたエネルギー源を有する眼科用レンズを指す。
【００１３】
エネルギー源とは、エネルギーを供給するか、眼科用レンズをエネルギー印加された状態にすることができる装置である。
【００１４】
エネルギーハーベスターとは、環境からエネルギーを抽出し、これを電気エネルギーに変換することができる装置である。
【００１５】
レンズ：本明細書で使用するとき「レンズ」とは、眼内、又は眼上にある任意の眼科用装置を指す。これらの装置は視覚補正をもたらすことができるか、又は美容用であっても良い。たとえば、用語のレンズは以下のものを指すことができる。コンタクトレンズ、眼内レンズ、オーバーレイ・レンズ、眼用挿入物、光学挿入物、又は他の同様の、視力が補正若しくは変更される装置か、又は視力を妨げることなく目の生理機能が美容的に拡張される（たとえば、虹彩色）装置。いくつかの実施形態では、本発明の好ましいレンズは、シリコーンヒドロゲル類を含むが、これらに限定されない、シリコーンエラストマー又はヒドロゲルから作製される、ソフトコンタクトレンズである。
【００１６】
レンズ形成混合物：用語「レンズ形成混合物」、又は「反応性混合物」、又は「ＲＭＭ」（反応性モノマー混合物）は、本明細書で使用するとき、硬化及び架橋することができるか、又は架橋して眼科レンズを形成することができる、モノマー、又はプレポリマー材料を指す。様々な実施形態は、ＵＶ遮断剤、染料、光開始剤、又は触媒、及びコンタクト若しくは眼内レンズ等の眼科レンズに望まれ得る他の添加剤等の１つ又は２つ以上の添加剤を有するレンズ形成混合物を含むことができる。
【００１７】
リチウムイオンセルとは、リチウムイオンがセルを通じて移動して電気エネルギーを生成する、電気化学セルを指す。一般的に電池と称されるこの電気化学セルは、その典型的な形態においてエネルギーを再印加されるか、又は再充電され得る。
【００１８】
出力：単位時間当たりに行われる仕事、又は移送されるエネルギー。
【００１９】
再充電可能、又はエネルギー再印加可能とは、仕事をするためのより高い能力を有する状態へと回復できることである。本明細書内の多くの用途は、再確定された時間において、一定の速度で電流を流す能力を回復するための能力に関連し得る。
【００２０】
エネルギーを再印加する、又は充電するとは、仕事を行うためのより高い能力を有する状態に回復することである。本明細書内の多くの用途は、再確定された時間において、一定の速度で電流を流す能力まで装置を回復させることに関連し得る。
【００２１】
一般的に、本発明では、エネルギー源が眼科用レンズ内に埋め込まれる。いくつかの実施形態では、眼科用装置は、レンズの着用者がそれを通じて見る視覚ゾーンを含む。構成要素、及びエネルギー源のパターンが、視覚ゾーンの外側に配置され得る。他の実施形態は、導電性材料、及び１つ又は２つ以上のエネルギー源のパターンを含む場合があり、これはコンタクトレンズの着用者の視野に悪影響を与えない程に小さく、したがって、視覚ゾーンの内部、又は外側に位置することができる。
【００２２】
一般的に、本発明のいくつかの実施形態により、エネルギー源が眼科用レンズの内部に埋め込まれる。
【００２３】
エネルギー印加された眼科用レンズ装置
まず図４を参照すると、エネルギー印加されたレンズ４００の断面図が例示される。記述は、眼科用レンズ４４０の全体の断面図を提供する。基材の上に設置される薄膜電池などの、エネルギー源４２０が本体４４０内にある。基材から上方に延びるようにして、カソード層４２２が存在してもよく、これは電解質層４２３によって囲まれていてもよく、これはひいてはアノード層４２４でコーティングされていてもよい。これらの層は、外部環境から電池層を封止する封入層４２１によって囲まれていてもよい。いくつかの代表的な実施形態では、電気的に制御された視覚装置４１０がまた、レンズと共に埋め込まれ、レンズの形成中に結合層によって適所に保持される。
【００２４】
ここで図１を参照すると、本発明による眼科用レンズの形成に寄与する鋳型システムが例示される。この実施例では、鋳型部分システム１００ヒドロゲル材料が眼科用レンズ内に形成され、これはヒドロゲル材料１１０内に埋め込まれたエネルギー源１０９を含む。本発明により、エネルギー印加されたレンズ１００がヒドロゲル材料によって形成される間、エネルギー源１０９は結合層１１１により鋳型部分に固定される。エネルギー源はまた、封止された封入層１３０によって例示されるように、これが作製される材料、及び環境の効果的な封入、及び分離手段を含み得る。
【００２５】
いくつかの特定の実施形態は、リチウムイオン電池を含むエネルギー源を含む。リチウムイオン電池は、一般的に再充電可能である。本発明により、リチウムイオン電池は、充電装置、及びまた出力管理回路と電気的に導通しており、これらは両方ともレンズ内に埋め込まれる。
【００２６】
加えて、いくつかの実施形態は、薄膜材料、及び薄膜材料に支持を提供する可撓性基材を有する電池を含む、エネルギー源１０９の結合を含んでもよい。本発明では、エネルギー源、及び可撓性基材の一方、又は両方が、反応性混合物の堆積、及び反応性混合物の眼科用レンズへの重合中に適所に固定される。
【００２７】
本明細書で使用するとき、鋳型という用語は、レンズ形成混合物の反応又は硬化の際に所望の形状の眼科用レンズが製造されるように、レンズ形成混合物をその中に分配することができる、空洞１０５を有する形状１００を含む。本発明の鋳型及び鋳型組立品１００は、複数の「鋳型部分」又は「鋳型片」１０１〜１０２から構成される。鋳型部分１０１〜１０２を組み合わせて、空洞１０５を鋳型部分１０１〜１０２間に形成し、その中にレンズを形成することができるようにすることができる。このような鋳型部分１０１〜１０２の組み合わせは、一時的であることが好ましい。レンズが形成されたら、レンズを取り出すために鋳型部分１０１〜１０２を再び分離することができる。
【００２８】
少なくとも１つの鋳型部分１０１〜１０２は、その表面１０３〜１０４の少なくとも一部がレンズ形成用混合物と接触し、それによってレンズ形成混合物１１０の反応又は硬化の際に、この表面１０３〜１０４が所望の形状及び形態を表面が接触しているレンズ部分にもたらす。いくつかの実施形態では、同じことが少なくとも１つの他の鋳型部分１０１〜１０２についても言え、更に他の実施形態は自由形状の表面を有するレンズを含み、モノマー混合物のボクセル毎の重合による、１つのみ鋳型部分で形成される。
【００２９】
こうして、たとえば、好ましい実施形態においては、鋳型組立品１００を、２つの部分１０１〜１０２、すなわち雌型の凹部片（前側片）１０２と雄型の凸部片（後側片）１０１（それらの間に空洞が形成されている）から形成する。凹部表面１０４のレンズ形成用混合物と接触する部分は、鋳型組立品１００内に作製すべき眼科レンズの前側湾曲部の湾曲を有すると共に、十分に滑らかであり、凹部表面１０４と接触しているレンズ形成用混合物の重合によって形成される眼科レンズの表面が光学的に許容できるものとなるように形成されている。
【００３０】
いくつかの実施形態においては、前側鋳型片１０２はまた、円形の周辺エッジ１０８と一体でこれを囲む環状フランジを備えることができ、このフランジから、軸線に垂直でフランジ（図示せず）から延びる平面内で延びている。
【００３１】
レンズ形成表面は、光学品質表面仕上げを備える表面１０３〜１０４を含むことができ、光学品質表面仕上げとは、表面が十分に滑らかで、成型表面に接触しているレンズ形成材料の重合によって作られるレンズ表面が光学的に許容可能であるように形成されていることを示す。更に、いくつかの実施形態においては、レンズ形成表面１０３〜１０４は、レンズ表面に所望の光学特性を付与するのに必要な幾何学形状を有することができる。所望の光学特性としては、限定することなく、球面、非球面、及び円筒屈折力、波面収差補正、角膜トポグラフィ補正などに加えて、それらの任意の組み合わせが挙げられる。
【００３２】
１１１において、その上にエネルギー源１０９が定置され得る結合層が例示される。結合層１１１はまた、その上にエネルギー源１０９がその上に取り付けられた可撓性材料、又は基材を受容してもよく、いくつかの実施形態では、基材がまた回路経路、構成要素、及びエネルギー源の使用に有用な他の態様も含み得る。いくつかの実施形態では、結合層１１１は、レンズ形成の際にレンズに組み込むことができる、材料の透明コーティングであり得る。透明コーティングは、例えば、後述のように、顔料、モノマー、又は他の生体適合性材料を含むことができる。様々な実施形態は、生じるレンズの視覚ゾーン、及び非視覚ゾーンの一方、又は両方の上に定置されたエネルギー源を含み得る。更に他の実施形態は、エネルギー源がその上に組み込まれる環状の挿入物を含み得る。環状挿入物は、剛性、又は形成可能のいずれかであってよく、又は、及びユーザーがそれを通じて見る視覚ゾーンを迂回する。
【００３３】
いくつかの実施形態では、結合層は、レンズ材料と相互貫通するポリマーネットワークを形成することが可能なポリマーを含み、安定したレンズを形成するために結合剤とレンズ材料との間の共有結合を形成する必要性は排除される。結合剤内に定置されたエネルギー源を有するレンズの安定性は、結合層ポリマー及びレンズベースのポリマーへのエネルギー源の封入によって提供される。本発明の結合ポリマーは、例えば、互いに同様の溶解度パラメータを有する、ホモポリマー又はコポリマー、若しくはこれらの組み合わせから作製されるポリマーを含むことができ、結合ポリマーは、レンズ材料と同様の溶解度パラメータを有する。結合ポリマーは、結合ポリマーのポリマー及びコポリマーを、互いに相互作用することが可能なものにする官能基を含み得る。官能基は、顔料粒子の移動を抑制する、及び／又はそれを封入するのに役立つ相互作用の密度を増加する方法で、互いに相互作用するポリマー又はコポリマー基を含むことができる。官能基間の相互作用は、極性、分散的、又は電荷移動錯体の性質であってもよい。官能基は、ポリマー又はコポリマー骨格鎖上に配置されてもよく、あるいは骨格鎖からの側枝であってもよい。
【００３４】
非限定的な例として、正電荷を有するポリマーを形成する、モノマー又はモノマーの混合物は、負電荷を有するポリマーを形成するモノマー又は複数のモノマーと併せて使用して、結合ポリマーを形成してもよい。更に具体的な実施例として、メタクリル酸（「ＭＡＡ」）及び２−ヒドロキシエチルメタクリレート（「ＨＥＭＡ」）を使用して、ＭＡＡ／ＨＥＭＡコポリマーを提供し得、ＭＡＡ／ＨＥＭＡコポリマーは、次いで、結合ポリマーを形成するために、ＨＥＭＡ／３−（Ｎ，Ｎ−ジメチル）プロピルアクリルアミドコポリマーと混合される。
【００３５】
別の例として、結合ポリマーは、次の式のアミド及びエステルを含むが、これらに限定されない疎水変性モノマーからなってよい。
ＣＨ３（ＣＨ２）ｘ−Ｌ−ＣＯＣＨＲ＝ＣＨ２
式中、Ｌは、−ＮＨ、又は酸素であってよく、ｘは２〜２４の全ての数であってよく、Ｒは、
Ｃ１〜Ｃ６アルキル、又は水素であってよく、好ましくはメチル、又は水素である。そのようなアミド及びエステルの例は、ラウリルメタクリルアミド及びヘキシルメタクリレート樹脂を含むが、これらに限定されない。更に別の実施例として、カルバメート及び尿素を拡大する脂肪族ポリマーを使用して、結合ポリマーを形成し得る。
【００３６】
また、結合層に好適な結合ポリマーは、ＨＥＭＡ、ＭＡＡ、及びラウリルメタクリレート樹脂（「ＬＭＡ」）のランダムブロックコポリマー、ＨＥＭＡ及びＭＡＡ又はＨＥＭＡ及びＬＭＡのランダムブロックコポリマー、又はＨＥＭＡのホモポリマーを含み得る。結合ポリマーの総重量に基づく、これらの実施形態における、それぞれの成分の重量パーセントは、約９３〜約１００重量パーセントのＨＥＭＡ、約０〜約２重量パーセントのＭＡＡ、及び約０〜約５重量パーセントのＬＭＡである。
【００３７】
結合ポリマーの分子量は、レンズ材料内で若干可溶性であり、その中で膨張する場合がある。レンズ材料は、結合ポリマー内に拡散し、重合及び／又は架橋される。しかしながら、同時に、結合ポリマーの分子量は、印刷画像の品質に影響を及ぼすほど高くあってはならない。好ましくは、結合ポリマーの分子量は、約７，０００〜約１００，０００、更に好ましくは、約７，０００〜約４０，０００、最も好ましくは、約１７，０００〜約３５，０００Ｍピークであり、それは、ＳＥＣ分析（＝Ｍｎ×Ｍｗ）１／２）における最大ピークの分子量に相当する。
【００３８】
本発明の目的のため、分子量は、９０°の光散乱及び屈折率検出器と共にゲル浸透クロマトグラフィーを使用して決定することができる。５０ｍＭの塩化ナトリウムに調節された重量比７５／２５のメタノール−水の溶離剤、３２５，０００〜１９４の範囲の明確な分子量を有する、ポリエチレングリコール分子及びポリエチレンオキシド分子の混合物である、ＰＷ４０００及びＰＷ２５００の２本のカラムを使用する。
【００３９】
当業者は、結合ポリマーの製造において連鎖移動剤を使用、多量の開始剤を使用、リビング重合を使用、適切なモノマー及び開始剤の濃度の選択、溶媒の量及び種類の選択、又は、これらの組み合わせによって、所望の結合ポリマー分子量を得ることができることを理解するであろう。好ましくは、連鎖移動剤は、所望の分子量を得るために、開始剤と併せて、又はより好ましくは、開始剤及び１つ又は２つ以上の溶媒と共に使用する。あるいは、少量の非常に高い分子量のポリマーは、結合ポリマー用の所望の粘度を維持するために、多量の溶媒と併せて使用し得る。好ましくは、結合ポリマーの粘度は、２３℃で約４〜約１５Ｐａ−ｓ（約４，０００〜約１５，０００センチポアズ）である。
【００４０】
本発明に使用する結合ポリマーの形成に有用な連鎖移動剤は、約０．０１以上、好ましくは、約７以上、より好ましくは、約２５，０００以上の連鎖移動定数値を有する。
【００４１】
任意の所望の開始剤は、紫外線、可視光線、熱開始剤、及びこれらの組み合わせ（これらを含むが、これらに限定されない）を使用し得る。好ましくは、熱開始剤を使用し、より好ましくは、２，２−アゾビスイソブチロニトリル、及び２，２−アゾビス２−メチルブチロニトリルを使用する。使用する開始剤の量は、製剤の総重量に基づき、約０．１〜約５重量パーセントであろう。好ましくは、２，２−アゾビス２−メチルブチロニトリルをドデカンチオールと共に使用する。
【００４２】
結合ポリマー層又はその他の媒体は、ラジカル連鎖重合、工程重合、乳化重合、イオン鎖重合、開環、基移動重合、原子移動重合等を含むが、これらに限定されない、任意の従来の重合化プロセスによって作製し得る。好ましくは、熱開始のフリーラジカル重合を使用する。重合を実施する条件は、当業者の認識範囲内である。
【００４３】
結合ポリマーの産生に有用な溶媒は、約１２０〜２３０℃の沸点を有する、中沸点溶媒である。使用する溶媒の選択は、製造される結合ポリマーの種類及びその分子量に基づくであろう。好適な溶媒は、ジアセトンアルコール、シクロヘキサノン、イソプロピルラクテート、３−メトキシ１−ブタノール、１−エトキシ−２−プロパノール等を含むが、これらに限定されない。
【００４４】
いくつかの実施形態では、本発明の結合ポリマー層１１１は、水中での膨張係数に関して、それと共に使用されるレンズ材料に合わせて作ることができる。結合ポリマーの膨張係数をパッキング溶液中の硬化レンズ材料の膨張係数と一致させる、又は実質的に一致させることは、視界の悪さ、及びレンズパラメータの変化をもたらすレンズ内のストレスの発達の回避を促進し得る。更に、結合ポリマーは、レンズ材料内で膨潤可能であり、それにより、本発明の着色剤を使用して印刷される画像の膨潤が起こり得る。この膨潤により、画像は、レンズの快適さにいかなる影響も及ぼさずに、レンズ材料内に取り込まれる。
【００４５】
いくつかの実施形態では、着色剤は、結合層に含まれてもよい。本発明の着色剤内の結合ポリマーに有用な顔料は、コンタクトレンズの使用に有用な有機又は無機顔料、若しくはそのような顔料の組み合わせである。不透明度は、使用される顔料及び乳白剤の濃度を変化させることによって調節することができ、多量になるにつれてより高い不透明度がもたらされる。具体的な有機色素は、フタロシアニンブルー（pthalocyanine blue）、フタロシアニングリーン（pthalocyanine green）、カルバゾールバイオレット（carbazole violet）、バットオレンジＮｏ．１（vat orange # 1）など、及びそれらの組み合わせを含むが、それらに制約されない。有用な無機色素の例は、黒酸化鉄（iron oxide black）、褐色酸化鉄（iron oxide brown）、黄酸化鉄（iron oxide yellow）、赤酸化鉄（iron oxide red）、二酸化チタン（titanium dioxide）など、及びそれらの組み合わせを含むが、それらに制約されない。これらの色素に加えて、可溶性及び不溶性染料を使用されることができ、ジクロロトリアジン（dichlorotriazine）及びビニルスルホン系染料（vinyl sulfone-based dyes）を含むが、それらに制約されない。有用な染料及び色素は、市販されている。
【００４６】
本発明によるレンズ中に存在する構成要素を被覆するために、例えば、色があるパターンで配置されてもよい。例えば、不透明の色は、自然な眼の外観を模し、レンズ内の構成要素の存在を隠してもよい。
【００４７】
加えて、いくつかの実施形態では、結合層は、鋳型部分上に結合層をコーティングすることを補助する、１つ又は２つ以上の溶媒を含む。結合層が塗布される鋳型部分の表面上にブリードしない又は移動しない結合層を促進するために、結合層が約２７ｍＮ／ｍ未満の表面張力を有することが望ましく、かつ好ましいことが本発明の別の発見である。この表面張力は、結合層が塗布される表面、例えば、鋳型表面の処理によって達成し得る。表面処理は、プラズマ及びコロナ処理等を含むが、これらに限定されない、当該技術において既知の方法によって達成し得る。あるいは、好ましくは、所望の表面張力は、着色剤に使用される溶媒の選択によって達成し得る。
【００４８】
したがって、結合層に有用な例示的溶媒には、結合層の粘度を増加させる、又は減少させることが可能であり、表面張力の制御を助長することが可能な溶媒が含まれる。好適な溶媒は、シクロペンタノン、４−メチル−２−ペンタノン、１−メトキシ−２−プロパノール、１−エトキシ−２−プロパノール、イソプロピルラクテート等、及びそれらの組み合わせを含むが、これらに限定されない。好ましくは、１−エトキシ−２−プロパノール及びイソプロピルラクテートを使用する。
【００４９】
いくつかの好ましい実施形態では、少なくとも３つの異なる溶媒を本発明の結合層に使用する。これらの溶媒の最初の２つの溶媒（両方とも中沸点溶媒）を結合ポリマーの製造に使用する。これらの溶媒は、その形成後、結合ポリマーから剥離され得るが、それらが保持されるのが好ましい。好ましくは、２つの溶媒は、１−エトキシ−２−プロパノール及びイソプロピルラクテートである。更なる低沸点溶媒（約７５〜約１２０℃である沸点の溶媒という意味）を使用して、必要に応じて、着色剤の粘度を減少することができる。好適な低沸点溶媒は、２−プロパノール、１−メトキシ−２−プロパノール、１−プロパノール等、及びこれらの組み合わせを含むが、これらに限定されない。好ましくは、１−プロパノールを使用する。
【００５０】
使用される特定量の溶媒は、多くの要因による場合がある。例えば、結合ポリマーの形成に使用される溶媒の量は、所望の結合ポリマーの分子量及び結合ポリマーに使用されるモノマー及びコポリマー等の構成成分に依存する。使用される低沸点溶媒の量は、着色剤に所望の粘度及び表面張力に依存する。更に、着色剤が鋳型に塗布され、レンズ材料で硬化される場合、使用される溶媒の量は、使用されるレンズ及び鋳型材料に応じて、かつ鋳型材料がその湿潤性を増加するように任意の表面処理を受けたかどうかによって左右される。使用される溶媒の正確な量の決定は、当業者の技術範囲内である。一般的に、使用される溶媒の総量は、使用される溶媒の約４０〜約７５重量パーセントである。
【００５１】
溶媒に加えて、可塑剤は、結合層の乾燥中、亀裂を減少させ、レンズ材料による結合層の分散及び膨張を強化するために、結合層に添加されてもよく、好ましくは、添加される。使用される可塑剤の種類及び量は、使用される結合ポリマーの分子量、及び使用前に保管された鋳型上に定置された着色剤では、所望の貯蔵寿命の安定度に依存する。有用な可塑剤は、グリセロール、プロピレングリコール、ジプロピレングリコール、トリプロピレングリコール、ポリエチレングリコール２００、４００、又は６００等、及びこれらの組み合わせを含むが、これらに限定されない。好ましくは、グリセロールを使用する。使用される可塑剤の量は、一般的に、着直剤の重量に基づき、０〜約１０重量パーセントであろう。
【００５２】
当業者は、説明する添加剤以外の添加剤もまた、本発明の結合層の成分に含まれ得ることを理解するであろう。好適な添加剤には、流動及び平準化を助ける添加剤、泡防止のための添加剤、レオロジー修正のための添加剤、並びに同様物、並びにこれらの組み合わせが含まれるが、これらに限定されない。
【００５３】
本発明のいくつかの実施形態では、結合層は、レンズ材料が硬化すると、レンズ材料内に組み込まれる。したがって、結合層は、レンズの結合層が塗布される鋳型の表面に応じて形成されるレンズの前面又は裏面に近接して組み込ませてもよい。また、結合層の１つ又は２つ以上の層は、任意の順番で塗布してもよい。
【００５４】
本発明を使用して、任意の既知のレンズ材料、又はそのようなレンズの製造に好適な材料から製造されるハード又はソフトコンタクトレンズを提供し得るが、好ましくは、本発明のレンズは、約０〜約９０パーセントの含水量を有する、ソフトコンタクトレンズである。更に好ましくは、レンズは、モノマー含有ヒドロキシ基、カルボキシル基、又はこれらの両方から製造される、若しくは、シロキサン、ヒドロゲル、シリコーンヒドロゲル、及びこれらの組み合わせ等のシリコーン含有ポリマーから製造される。本発明のレンズを形成するのに有用な材料は、重合開始剤等の添加剤に加えて、マクロマー、モノマー、及びこれらの組み合わせの混合物を反応させることによって、製造し得る。好適な材料は、シリコーンマクロマー及び親水性モノマーから製造されるシリコーンヒドロゲルを含むが、これらに限定されない。
【００５５】
追加的実施形態は、内部構成要素が、封入材料によって封入される特徴による場合がある。封入剤の２つの層の間のシームを含む方法でエネルギー源をコーティングすることが可能であり得る。あるいは、封入剤は、シームを生じないような方法で適用されてもよいが、多くの実施形態は、エネルギー源が２つの別個の、かつ絶縁した電気接触点を提供することを必要とすることに留意すべきである。本明細書において詳述される技術と適合し得る、エネルギー源を封入するための他の様々な手段が存在することが、当業者には明白であり得る。
【００５６】
鋳型部分１０１〜１０２材料は、例えば、ポリプロピレン、ポリスチレン、ポリエチレン、ポリメチルメタクリレート、及び変性ポリオレフィンのうちの１つ又は２つ以上のポリオレフィンを含むことができる。他の鋳型は、セラミックス、又は金属材料を含み得る。
【００５７】
好ましい脂環式コポリマーは、２種の異なる脂環式ポリマーを含み、Ｚｅｏｎ  Ｃｈｅｍｉｃａｌｓ  Ｌ．Ｐ．によって．商品名ＺＥＯＮＯＲで販売される。ＺＥＯＮＯＲには、複数の異なる等級がある。さまざまな等級は、１０５℃〜１６０℃の範囲のガラス転移温度を有し得る。特に好ましい材料は、ＺＥＯＮＯＲ  １０６０Ｒである。
【００５８】
１つ又は２つ以上の添加剤と組み合わせて、眼科用レンズの鋳型を形成し得る他の鋳型材料には、例えば、Ｚｉｅｇｌａｒ−Ｎａｔｔａポリプロピレン樹脂（しばしばｚｎＰＰと言われる）が含まれる。１つの代表的なＺｉｅｇｌａｒ−Ｎａｔｔａポリプロピレン樹脂が、ＰＰ  ９５４４  ＭＥＤの名前で入手可能である。ＰＰ  ９５４４  ＭＥＤは、ＥｘｘｏｎＭｏｂｉｌｅ  Ｃｈｅｍｉｃａｌ  Ｃｏｍｐａｎｙによって入手可能な、ＦＤＡ  ｒｅｇｕｌａｔｉｏｎ  ２１  ＣＦＲ（ｃ）３．２による、清浄な成形のための、透明なランダムコポリマーである。ＰＰ  ９５４４  ＭＥＤは、エチレン基（以降９５４４  ＭＥＤ）を有するランダムコポリマー（ｚｎＰＰ）である。他の代表的なＺｉｅｇｌａｒ−Ｎａｔｔａポリプロピレン樹脂としては、Ａｔｏｆｉｎａ  Ｐｏｌｙｐｒｏｐｙｌｅｎｅ  ３７６１、及びＡｔｏｆｉｎａ  Ｐｏｌｙｐｒｏｐｙｌｅｎｅ  ３６２０ＷＺが挙げられる。
【００５９】
また更に、いくつかの実施形態では、本発明の鋳型には、ポリプロピレン等のポリマー、ポリエチレン、ポリスチレン、ポリメチルメタクリレート、主鎖に脂環式部分を含む変性ポリオレフィン、及び環状ポリオレフィンが含まれ得る。このブレンドを、鋳型半片の一方又は両方の上で用いることができる。このブレンドを後側湾曲部上で用いて前側湾曲部は脂環式コポリマーからなることが好ましい。
【００６０】
本発明による鋳型１００を作るいくつかの好ましい方法では、既知の技術による射出成型を用いるが、実施形態はまた、例えば、旋盤法、ダイヤモンド切削、又はレーザー切断が挙げられる他の技術によって作られる鋳型を含むこともできる。
【００６１】
通常、レンズを、両方の鋳型部分１０１〜１０２の少なくとも１つの表面上に形成する。しかしながら、いくつかの実施形態では、レンズの１つの表面は、鋳型部分１０１〜１０２から形成され得、レンズの別の表面は、旋盤方法、又は他の方法を使用して形成することができる。
【００６２】
ここで図２を参照すると、いくつかの実施形態では、エネルギー印加されたレンズ２００は、２つの接触点２４０を有するエネルギー源２１０を含む。いくつかの実施形態では、接触点２４０は、エネルギー源２１０から別の装置２２０にエネルギーを伝導するために、これらに取り付けられた２つの導電性ワイヤー２３０を含む。
【００６３】
電気ワイヤー２３０が接触点２４０に接続され得る方法は、本技術において多くの実施形態を形成し得る。いくつかの実施形態では、これらのワイヤーは、ワイヤーを物理的に研磨して、代替的な結合パッド金属を有する電気接触子にするワイヤー結合技術によって取り付けられ得る。更に他の実施形態は、例えば、はんだ付け技術により、ワイヤー２３０と接触点２４０との間で接触する金属を融解させることによる場合がある。他の実施形態では、接触ワイヤー２３０を接触点２４０へと蒸着させることが可能であり得る。更に他の実施形態では、導電要素２３０を画成し、これを接触点２４０へと接続するために導電性エポキシ、又はインクが使用され得る。エネルギーを別の装置へ、又はこれから伝導するために、エネルギー源への接触点への接続をつくる多くの手段は、本発明の範囲内の実施形態を含み得ることが、当業者には明白であり得る。
【００６４】
前述のように、エネルギー源２００は、記載された２種類以上のエネルギー源の複合体を含んでもよい。例えば、図２のエネルギー源は、光電セルなどの装置２２０と組み合わされた、再充電可能なリチウム薄膜電池２１０を含んでもよい。多くの光電セルの種類が、本明細書における技術と適合し得、この実施形態で使用され得る光起電装置の例は、Ｃｌａｒｅ，Ｉｎｃ．（Ｂｅｖｅｒｌｙ，ＭＡ）によって製造されるＣＰＣ１８２２であり、これはおよそ２．５ｍｍ×１．８ｍｍ×０．３ｍｍのダイ形状であり、光条件において４ボルトの直流電流（ＶＤＣ）を提供することができる。いくつかの実施形態では、図２に示されるように、光起電装置の出力が、電池に直接提供され得る。あるいは、出力管理装置が、ある種のエネルギー再印加装置で再充電可能な電池の充電を制御してもよい。エネルギー印加される眼科用レンズ上の、本発明の範囲内のエネルギー源にエネルギーを再印加する、多くの実施形態が存在し得るため、この特定の実施例は非限定的な意味において提供される。
【００６５】
Ｃｌａｒｅ光電セルの場合、外部光源は、別の取り付けられたエネルギー源にエネルギーを再印加するための方法を含み得る。およそ１太陽光（one sun）以上の光強度において、セルはかなりの充電電流を提供する。このような光起電装置と相互作用するために、エネルギー再印加システムを構成するための多くの方法が存在し得る。非限定的な実施例により、水和媒体中の眼科用レンズの保存中に、適切な強度の光を提供することが可能であり得る。
【００６６】
エネルギー源にエネルギーを再印加する他の実施形態は、別の装置によって画定され得る。例えば、眼科用レンズの本体にわたる熱勾配は、熱電装置がエネルギー源へのエネルギー再印加を提供するために使用され得る。別の実施形態では、外部エネルギーが、外部無線周波信号及びレンズ内の吸収装置、外部電圧場及びレンズ内の容量結合装置、又は機械的エネルギー、若しくは圧力、及び圧電装置の使用により、眼科用レンズへと結合され得る。エネルギー印加されたレンズ内のエネルギー源にエネルギーを再印加するための多くの方法が存在し得ることが、当業者には明白であり得る。
【００６７】
先の説明で触れたように、再充電不可能な化学的性質の電池型エネルギー源は、本明細書において開示される新規性を有する別の実施形態を提供し得る。再充電可能性の利点のいくつかを潜在的に欠く一方このような実施形態は、別の方法により潜在的な費用、及び実施に関する利点を有し得る。本明細書において記載された再充電可能なエネルギー源と同等の方法で再充電不可能な封入された電気化学セルを含めることが、本開示の範囲内にあるものと認識され得る。
【００６８】
本発明の様々なエネルギー源は、眼科用レンズ内に「オンボード」の電源を提供し、これは電子的構成要素、可撓性回路相互接続基材、印刷された電気的相互接続、センサー、及び／又はカスタム活性（custom active）構成要素と共に使用され得る。エネルギー印加され得るこれらの様々な構成要素は、広範な機能を実行する実施形態を規定し得る。非限定的な実施例により、エネルギー印加された眼科用レンズは、眼科用レンズの焦点特性を調節する機能にエネルギーを印加する電気光学装置であり得る。更に別の実施形態では、エネルギー印加された機能は、医薬品、又は他の物質をポンプ注入し得る、眼科用レンズ内のポンプ機構を活性化させてもよい。なお更なるエネルギー印加される機能は、眼科用レンズ内の感知装置、及び通信装置を含み得る。エネルギー印加された眼科用レンズ内で可能であり得る機能に関する、広範な実施形態が存在し得ることが、当業者には明白であり得る。
【００６９】
いくつかの実施形態では、エネルギー印加された眼科用レンズ内のエネルギー源は、眼科用レンズ、又は他の形状のヒドロゲル物品内におけるなお更なるエネルギー印加された機能の、ワイヤレスの制御された活性化を提供するために、眼科用レンズ内の制御機能にエネルギーを印加し得る。非限定的な実施例により、エネルギー源は、有源の限定的な最大電流容量を有し得る、埋め込まれ、封入された薄膜マイクロ電池を含み得る。漏洩電流、静止引き込み電流を最小化し、それによって完全に充電された薄膜マイクロ電池が、貯蔵中に可能な限りその電荷を維持するため、電気活性レンズ中でマイクロ電池を活性化し、他の構成要素に電気的に接続するための様々な手段が利用され得る。いくつかの実施形態では、光電セル（例えば、Ｃｌａｒｅ  ＣＰＣ１８２２のダイ形態）、又は光電感知装置が、規定の光条件下において、レンズ内のトランジスタ、又は他のマイクロ電子構成要素を活性化してもよく、これは次にレンズ内における電池と他のマイクロ電子構成要素との相互接続を活性化し得る。別の実施形態では、ミクロ寸法のホール効果センサー／スイッチ、例えば、Ａｌｌｅｇｒｏ  Ｍｉｃｒｏｓｙｓｔｅｍｓ，Ｉｎｃ．（Ｗｏｒｃｅｓｔｅｒ，ＭＡ）によって製造されるＡ１１７２が使用されて、磁石のＮ極、及び／又はＳ極に曝露された際に、レンズ内の電池、及び／又は他のミクロ電子構成要素を活性させてもよい。他の実施形態では、物理接触スイッチ、膜スイッチ、無線周波スイッチ、温度センサー、光ダイオード、フォトレジスタ、フォトトランジスタ、又は光学センサーが使用されて、エネルギー印加された眼科用レンズ内の電池、及び／又は取り付けられた電子部品を活性化してもよい。
【００７０】
いくつかの実施形態では、エネルギー印加された眼科用レンズ内のエネルギー源は、集積回路と共に組み込まれてもよい。この種類の代表的な実施形態では、シリコン基材上の平面的な薄膜マイクロ電池の導入が、半導体製作プロセスと共に想定され得る。このような手法は、本発明の電気活性レンズ内に組み込まれ得る様々な集積回路に、別個の電源を提供するために有利に使用され得る。別の実施形態では、集積回路が、エネルギー印加されたレンズの別個の構成要素として組み込まれてもよい。
【００７１】
図３を参照すると、項目３００（エネルギー印加された眼科用レンズの代表的実施形態の描写）が図示される。この描写では、エネルギー源３１０は、薄膜の再充電可能なリチウムイオン電池を含み得る。電池は、相互接続を可能にする接触点３７０を有し得る。ワイヤーは、接触点３７０へとワイヤー結合されたワイヤーであり、電池エネルギー源３１０を再充電するために使用され得る光電セル３６０へと電池を接続してもよい。追加的なワイヤーがエネルギー源を、第２組の接触点３５０のワイヤー結合された接触点を介して相互接続される可撓性回路に接触させてもよい。これらの接触点３５０は、可撓性相互接続基材５５５の一部であり得る。この相互接続基材は、前述のエネルギー源と同様の方法で、典型的なレンズの形状に類似する形状へと形成され得る。追加的な可撓性を追加するために、相互接続基材３５５は、半径方向の切断部３４５などの追加的な形状特徴をその長さに沿って含んでもよい。相互接続基材３５５の個別のフラップは、ＩＣ、別個の構成要素、受動構成要素、及び項目３３０に図示される装置など、様々な電子的構成要素に接続されてもよい。これらの構成要素は、ワイヤー、又は他の接続手段３４０によって、相互接続基材３５５内の導電経路へと相互接続される。非限定的な実施例により、様々な構成要素が様々な手段により可撓性相互接続基材３５５に接続されてもよく、既に説明された電池への相互接続が作製され得る。様々な電気構成要素の組み合わせが、項目３９０として図示される電気工学装置の制御信号を規定し得る。制御信号は、相互接続３２０に沿って伝送され得る。エネルギー印加された機能を有する、この種類の代表的なエネルギー印加された眼科用レンズが、例示の目的のためのみに提供される。当業者には明白であり得るように、この記述は決して本発明の技術の範囲を限定するものとして理解されるべきではなく、機能、設計、相互接続構成、エネルギー印加構成、及び本発明の概念の全体的利用の、多くの異なる実施形態が存在し得る。
【００７２】
ここで図５を参照すると、図５ａ、５ｂ、５ｃ、及び５ｄには、眼科用レンズ内のエネルギー源がとり得る多くの異なる形状の実施例がある。項目５００は、薄膜材料により作製された参照エネルギー源を図示し、これは、参照のために平坦な形状として形成される。このような形状５００の寸法が、およそ１ミリメートル以下である場合、これは、エネルギー印加された眼科用レンズのためのエネルギー源を含み得る。項目５１０は、代表的な三次元形状を図示し、可撓性基材、及び封入された電池は、完全な環状の形状を取り、これは柔軟に変形していない場合、変形していない眼科用レンズがとり得る形状とほぼ同じである。いくつかの実施形態では、環状の形状の半径は、エネルギー印加された眼科用レンズの実施形態においては、およそ８ミリメートルであり得る。同じ三次元的な態様が、１／４の環状体５３０、又は半分の環状体５２０、又は他の弓状の形状の実施形態についても妥当し得る。他の部分的な環状の形状を含む、多くの異なる形状が、本発明の範囲内の別の実施形態を含み得ることが、当業者には明白であり得る。いくつかの実施形態では、矩形の平面的な形状がまた、眼科用レンズに含まれる半球シェル形状に適合し得る。
【００７３】
本発明の実施形態の別の組は、エネルギー印加された眼科用レンズに有利に使用され得る、特定の電池化学に関連する。Ｏａｋ  Ｒｉｄｇｅ  Ｌａｂｏｒａｔｏｒｉｅｓによって開発された例示的実施形態は、リチウム、又はリチウムイオンセルの構成要素を含む。このようなセルのアノードの一般的な材料にはリチウム金属が挙げられ、あるいは、リチウムイオンセルに関してはグラファイトを挙げられる。これらのセルの別の例示的実施形態は、コンタクトレンズ内に組み込まれるこのような薄膜電池のアノードとして機能する、微小寸法シリコン機構の導入である。
【００７４】
電池のカソードに使用される材料は、リチウムマンガン酸化物、及びリチウムコバルト酸化物が挙げられ、これらは、このように形成される電池のための、良好な性能基準値を有する。あるいは、リン酸鉄リチウムカソードが、同様の性能を有する場合があるが、いくつかの用途では充電に関するより良い側面を有し得る。同様に、これら、及び他のカソード材料の寸法は、充電性能を改善する場合があり、例えば、様々な材料のナノ寸法結晶からカソードを形成することは、電池が再充電され得る速度を劇的に改善する場合がある。
【００７５】
エネルギー源の構成要素として含まれ得る様々な材料が好ましくは封入され得る。エネルギー源を封入して、一般的にその構成要素が、眼部環境に入らないように分離することが望ましいことがある。あるいは、眼部環境の態様は、エネルギー源の性能に対して、これらが封入実施形態によって適切に分離されない場合、否定的な影響を及ぼす場合がある。発明の技術の様々な実施形態は、材料の選択に由来する場合がある。
【００７６】
したがって、いくつかの実施形態では、レンズ材料は、シリコーン含有構成要素を含み得る。「シリコーン含有成分」は、モノマー、マクロマー又はプレポリマー中に少なくとも１個の［−Ｓｉ−Ｏ−］を含有する成分である。好ましくは、合計Ｓｉ及び結合Ｏは、シリコーン含有成分中に、当該シリコーン含有成分の総分子量の約２０重量％より大きい、更に好ましくは３０重量％より大きい量で存在する。有用なシリコーン含有成分は、好ましくは、アクリレート、メタクリレート、アクリルアミド、メタクリルアミド、ビニル、Ｎ−ビニルラクタム、Ｎ−ビニルアミド及びスチリル官能基などの重合性官能基が含まれる。
【００７７】
好適なシリコーン含有成分は、式Ｉ：
【化１】
0005607635.tif 000002
（式中、
Ｒ１は、独立して、一価反応基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能性を更に含み得、１−１００  Ｓｉ−Ｏの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能性を更に含むこともあり、
式中、ｂ＝０〜５００であり、ｂが０以外のときに、ｂは、表示値と同等のモードを有する分配であると理解され、
少なくとも１つのＲ１は、一価反応基を含み、いくつかの実施形態では、１個と３個のＲ１との間は、一価反応基を含む）の化合物を含む。
【００７８】
本明細書に使用されるとき、「一価反応基」は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定的な例としては、ビニルエーテル又はエポキシド基及びこれらの混合物が挙げられる。一実施形態では、フリーラジカル反応基には、（メタ）アクリレート、アクリルオキシ、（メタ）アクリルアミド、及びこれらの混合物が含まれる。
【００７９】
好適な一価アルキル基及びアリール基には、置換及び非置換のメチル、エチル、プロピル、ブチル、２−ヒドロキシプロピル、プロポキシプロピル、ポリエチレンオキシプロピル、これらの組み合わせ等の、非置換の一価Ｃ１〜Ｃ１６アルキル基、Ｃ６〜Ｃ１４アリール基が含まれる。
【００８０】
一実施形態では、ｂは、ゼロであり、１個のＲ１は、一価反応基であり、少なくとも３個のＲ１は、１〜１６個の炭素原子を有する一価アルキル基から選択され、別の実施形態では、１〜６個の炭素原子を有する一価アルキル基から選択される。本発明のシリコーン成分の制限されない例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリ（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００８１】
別の実施形態では、ｂは、２〜２０、３〜１５、又はいくつかの実施形態では、３〜１０であり、少なくとも１つの末端Ｒ１は、一価反応基を含み、残りのＲ１は、１〜１６個の炭素原子を有する一価アルキル基から選択され、別の実施形態では、１〜６個の炭素原子を有する一価アルキル基から選択される。更に他の一実施形態では、ｂが３〜１５であり、１つの末端Ｒ１が一価の反応性基を含み、その他の末端Ｒ１が１〜６の炭素原子を有する一価のアルキル基を含み、残余のＲ１が１〜３の炭素原子を有する一価のアルキル基を含む。本発明のシリコーン成分の制限されない例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ］）、モノメタクリルオキシプロピル末端のモノ−ｎ−ブチル末端のポリジメチルシロキサン（８００〜１０００ＭＷ）、（「ｍＰＤＭＳ」）が含まれる。
【００８２】
別の実施形態では、ｂは、５〜４００、又は１０〜３００であり、両方の末端Ｒ１は、一価反応基を含み、残りのＲ１は、独立して、炭素原子間のエーテル結合を有することもあり、ハロゲンを更に含むこともある、１〜１８個の炭素原子を有する一価アルキル基から選択される。
【００８３】
一実施形態では、シリコーンヒドロゲルレンズが望ましい場合、本発明のレンズは、ポリマーが作製される反応性モノマー成分の総重量に基づき、少なくとも約２０重量％、好ましくは、約２０〜７０重量％のシリコーン含有成分を含む、反応性混合物から作製される。
【００８４】
別の実施形態では、１〜４のＲ１はビニルカーボネート又は以下の式のカルバメートを含む。
【化２】
0005607635.tif 000003
式中、ＹはＯ−、Ｓ−又はＮＨ−を意味し、
Ｒは、水素又はメチルを意味し、ｄは１、２、３又は４、そしてｑは０又は１である。
【００８５】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネートを含み、
【化３】
0005607635.tif 000004
約２００以下の弾性率を有する生物医学的装置が所望される場合、１個のＲ１のみが一価反応基を含むものとし、残りのＲ１基のうちの２個以下は、一価シロキサン基を含む。
【００８６】
別のクラスのシリコーン含有成分は、次の式のポリウレタンマクロマーを含む。
式ＩＶ〜ＶＩ
（＊Ｄ＊Ａ＊Ｄ＊Ｇ）ａ＊Ｄ＊Ｄ＊Ｅ１；
Ｅ（＊Ｄ＊Ｇ＊Ｄ＊Ａ）ａ＊Ｄ＊Ｇ＊Ｄ＊Ｅ１又は
Ｅ（＊Ｄ＊Ａ＊Ｄ＊Ｇ）ａ＊Ｄ＊Ａ＊Ｄ＊Ｅ１
式中、
この場合、Ｄは、炭素原子６〜３０個を有するアルキルジラジカル、アルキルシクロアルキルジラジカル、シクロアルキルジラジカル、アリールジラジカル又はアルキルアリールジラジカルを示し、
Ｇは、炭素原子１〜４０個を有するアルキルジラジカル、シクロアルキルジラジカル、アルキルシクロアルキルジラジカル、アリールジラジカル又はアルキルアリールジラジカルを示し、これは、主鎖中にエーテル、チオ又はアミン結合を含有できる。
＊はウレタン又はウレイド結合を意味し、
ａは、少なくとも１であり、
Ａは次の式の２価重合ラジカルを意味する。
【化４】
0005607635.tif 000005
Ｒ１１は独立してアルキル又は１〜１０個の炭素原子を有するフルオロ置換アルキル基を意味し、これには炭素原子間にエーテル結合を含んでよく、ｙは少なくとも１であり、ｐは４００〜１０，０００の部分重量を提供し、Ｅ及びＥ１はそれぞれ独立して次の式に示される重合性不飽和有機ラジカルを意味する。
【化５】
0005607635.tif 000006
式中、Ｒ１２は水素又はメチルであり、Ｒ１３は水素、１〜６個の炭素原子を有するアルキルラジカル又はａ−ＣＯ−Ｙ−Ｒ１５ラジカルで、Ｙは−Ｏ−、Ｙ−Ｓ−又は−ＮＨ−であり、Ｒ１４は１〜１２個の炭素原子を有する二価ラジカルであり、Ｘは−ＣＯ−又は−ＯＣＯ−を意味し、Ｚは−Ｏ−又は−ＮＨ−を意味し、Ａｒは６〜３０個の炭素原子を有する芳香族ラジカルを意味し、ｗは０〜６であり、ｘは０又は１であり、ｙは０又は１であり、ｚは０又は１である。
【００８７】
１つの好ましいシリコーン含有成分は、以下の式で示されるポリウレタンマクロマーである。
【化６】
0005607635.tif 000007
Ｒ１６は、イソフォロンジイソシアネートのジラジカル等のイソシアネート基除去後のジイソシアネートのジラジカルである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【化７】
0005607635.tif 000008
【００８８】
本発明の使用に好適な他のシリコーン含有成分には、ポリシロキサン、ポリアルキレンエーテル、ジイソシアネート、ポリフッ素化炭化水素、ポリフッ素化エーテル、及び多糖類基を含有するマクロマー、末端のジフルオロで置換された炭素原子に結合する水素原子を有する、極性のフッ素化グラフト又は側基を有するポリシロキサン、エーテルを含有する親水性シロキサニルメタクリレート、並びにポリエーテル及びポリシロキサニル基を含有するシロキサニル結合及び架橋性モノマーが含まれる。また、前述のポリシロキサンのいずれも、シリコーン含有成分として本発明に使用することもできる。
【００８９】
本発明を使用して、任意の既知のレンズ材料、又はそのようなレンズの製造に好適な材料から製造されるハード又はソフトコンタクトレンズを提供し得るが、好ましくは、本発明のレンズは、約０〜約９０パーセントの含水量を有する、ソフトコンタクトレンズである。更に好ましくは、レンズは、モノマー含有ヒドロキシ基、カルボキシル基、又はこれらの両方から製造される、若しくは、シロキサン、ヒドロゲル、シリコーンヒドロゲル、及びこれらの組み合わせ等のシリコーン含有ポリマーから製造される。本発明のレンズを形成するのに有用な材料は、重合開始剤等の添加剤に加えて、マクロマー、モノマー、及びこれらの組み合わせの混合物を反応させることによって、製造し得る。好適な材料は、シリコーンマクロマー及び親水性モノマーから製造されるシリコーンヒドロゲルを含むが、これらに限定されない。
【００９０】
追加的実施形態は、内部構成要素が、封入材料によって封入される特徴に関連する。封入剤の２つの層の間のシームを含む方法でエネルギー源をコーティングすることが可能であり得る。あるいは、封入剤は、シームを生じないような方法で適用されてもよいが、多くの実施形態は、エネルギー源が２つの別個の、かつ絶縁した電気接触点を提供することを必要とすることに留意すべきである。本明細書において詳述される技術と適合し得る、エネルギー源を封入するための他の様々な手段が存在することが、当業者には明白であり得る。
【００９１】
記載された様々な種類のエネルギー印加された眼科用装置の形成方法に関する多くの実施形態が存在し得る。ある実施形態では、本明細書における発明の技術は、特定のエネルギー印加された眼科用レンズの実施形態のサブ構成要素を別々の工程において、組み立てることを含み得る。生体適合性の、不活性な、コンフォーマルコーティングと共に使用される、有利に成形された薄膜マイクロ電池、可撓性回路、相互接続、マイクロ電子構成要素、及び／又は他の電気活性構成要素の「オフライン」アセンブリは、既知の鋳造成形コンタクトレンズ製造プロセスに組み込むことができる、包括的で埋め込み可能な単一のパッケージを提供する。可撓性回路は、銅被覆ポリイミドフィルム、又は他の同様の基材から製作されるものを含み得る。
【００９２】
コンフォーマルコーティングとしては、パリレン（等級Ｎ、Ｃ、Ｄ、ＨＴ、及びこれらのいずれかの組み合わせ）、ポリ（ｐ−キシリレン）、絶縁コーティング、シリコーンコンフォーマルコーティング、ポリウレタンコンフォーマルコーティング、アクリルコンフォーマルコーティング、剛性の気体透過性ポリマー、又は他の任意の有利な生体適合性コーティングが挙げられるがこれらに限定されない。
【００９３】
本発明のいくつかの実施形態は、眼科用レンズ材料内の、及び／又はこれによって封入される実施形態に順応する形状の薄膜マイクロ電池の形状設計を指向する方法を含み得る。他の実施形態は、ヒドロゲル、シリコーンヒドロゲル、剛性の気体透過性「ＲＧＰ」コンタクトレンズ材料、シリコーン、熱可塑性ポリマー、熱可塑性エラストマー、熱硬化性ポリマー、コンフォーマル絶縁／誘電コーティング、及び密封バリアコーティングなど、これらに限定されない様々な材料に薄膜マイクロ電池を組み込むための方法を含む。
【００９４】
更に他の実施形態は、エネルギー源の眼科用レンズ形状内への計画的な定置の方法を含む。具体的に、いくつかの実施形態では、エネルギー源は半透明の物品であり得る。エネルギー源が眼科用レンズの視覚ゾーンを通じた光の透過を阻害しないことが好ましいため、いくつかの実施形態における設計方法は、コンタクトレンズの中央５〜８ｍｍを含む視覚ゾーンが、エネルギー源、若しくは支援回路、又は他の構成要素のいずれかの不透明部分によって阻害されないことを確実にし得る。
【００９５】
いくつかの実施形態では、エネルギー源の体積、及び密度は、上記のエネルギー源がまた単独で、又は眼上でレンズを回転可能に安定させるように眼科用レンズの本体に設計される他のレンズ安定化ゾーンと共に機能し得るように、設計を促進し得る。このような実施形態は、乱視の矯正、眼上における快適性の改善、又はエネルギー印加された眼科用レンズ内の他の構成要素の安定した／制御された配置が挙げられるがこれらに限定されない多くの用途において有利であり得る。
【００９６】
追加的な実施形態では、エネルギー源は、コンタクトレンズの外側縁部から一定の位置に定置されて、良好な快適性を提供すると同時に、有害事象の発生を最小限にするためにコンタクトレンズ縁部の輪郭の有利な設計を可能にし得る。回避するべきこのような有害事象の例としては、上皮弓状病変、又は巨大乳頭結膜炎が挙げられる。
【００９７】
いくつかの実施形態における、非限定的な実施例により、埋め込まれた電気化学セルのカソード、電解質、及びアノード機構が、このようなカソード、電解質、及びアノード区域を画定する形状の印刷されたインクによって形成され得る。このように形成された電池は、例えば、マンガン酸化物、及び亜鉛の化学的性質に基づく単回使用セル、及び上記の薄膜電池の化学的性質と同様のリチウムの化学的性質に基づく再充電可能な薄い電池の両方を含み得る。エネルギー印加された眼科用レンズの様々な機構、及び形成方法の様々な異なる実施形態が、印刷技術の使用を含み得ることが、当業者には明白であり得る。
【００９８】
記載された様々な方法でエネルギー印加された眼科用レンズの実施形態を形成するために使用され得る装置に関する多くの実施形態が存在し得る。加工の基本工程は、眼科用レンズのエネルギー源を含む様々な構成要素を支持することに関連し得るが、眼科用レンズの本体はこれらの構成要素の周囲で成形される。いくつかの実施形態では、エネルギー源は、レンズ鋳型の保持点に取り付けられてもよい。保持点は、レンズ本体内に形成されるものと同じ種類の重合された材料で取り付けられてもよい。様々なエネルギー源を、これらがレンズ本体に封入される前に支持するための多くの方法が、本発明の範囲内の実施形態を含むことが当業者には明白であり得る。
【００９９】
本発明のいくつかの実施形態において上記されたように、エネルギー源は、電気化学セル、又は電池を含む。エネルギー印加された眼科用レンズの実施形態に含まれ得る、多くの異なる種類の電池が存在する。例えば、単回使用の電池が、様々なカソード、及びアノード材料から形成され得る。非限定的な実施例により、これらの材料は、亜鉛、炭素、銀、マンガン、コバルト、リチウム、シリコンを含み得る。更に他の実施形態は、再充電可能な電池の使用により得られる。このような電池は、ひいては、リチウムイオン技術、銀による技術、マグネシウムによる技術、ニオビウムによる技術から作製され得る。単回使用、又は再充電電池システムのための様々な電流電池技術は、エネルギー印加された眼科用レンズの様々な実施形態におけるエネルギー源を含み得ることが、当業者には明白であり得る。
【０１００】
コンタクトレンズの環境の、物理的、及び寸法的制約により、一定の電池の種類が他のものよりも好まれる場合がある。このような好ましさの例は、薄膜電池について妥当し得る。薄膜電池は、人の眼科的実施形態と適合する小さな空間を占め得る。更に、これらは可撓性の基材上に形成されてもよく、眼科用レンズ、及び含まれる電池の双方の本体が基材と共に自由に撓むことを可能にする。
【０１０１】
薄膜電池の場合、実施例は単回充電、及び再充電可能な形態を含み得る。再充電可能な電池は、より長い使用可能製品寿命、及びしたがって、より高いエネルギー消費率の能力を提供する。多くの開発活動は、再充電可能な薄膜電池を有する、電気的にエネルギー印加された眼科用レンズを製造するための技術に焦点を当ててきたが、しかしながら、発明の技術はこの下位分類に限定されない。
【０１０２】
再充電可能な薄膜電池は、市販されており、例えば、Ｏａｋ  Ｒｉｄｇｅ  Ｎａｔｉｏｎａｌ  Ｌａｂｏｒａｔｏｒｙは、１９９０年代前半から様々な形態を製造してきた。このような電池の現在の商業製造者は、Ｅｘｃｅｌｌａｔｒｏｎ  Ｓｏｌｉｄ  Ｓｔａｔｅ，ＬＬＣ（Ａｔｌａｎｔａ，ＧＡ）、Ｉｎｆｉｎｉｔｅ  Ｐｏｗｅｒ  Ｓｏｌｕｔｉｏｎｓ（Ｌｉｔｔｌｅｔｏｎ，ＣＯ）、及びＣｙｍｂｅｔ  Ｃｏｒｐｏｒａｔｉｏｎ，（Ｅｌｋ  Ｒｉｖｅｒ，ＭＮ）を含む。この技術においては、平坦な薄膜フィルム電池を含む使用が現在優位である。このような電池の使用は、本発明技術のいくつかの実施形態を含み得るが、薄膜電池を、例えば球形の曲率半径を有する三次元形状に形成することは、発明の技術の望ましい実施形態を含む。このような三次元的な電池の実施形態の多くの形状、及び形態が、本発明の範囲内であることは、当業者にとって明白であり得る。
【０１０３】
ここで図６を参照すると、鋳型部分に結合層を適用するための装置が例示される。装置は、１つ又は２つ以上の鋳型部分６１４の近位に結合剤コーティングアプリケータ６１１〜６１２を位置付け、１つ又は２つ以上の鋳型部分内に結合剤コーティングを適用することができる第１のオートメーション６１０を含む。いくつかの実施形態では、結合剤コーティングアプリケータ６１１〜６１２は、垂直方向に移動し、１つ又は２つ以上の鋳型部分６１４の近位に来る。結合層アプリケータは、例えば、パッド印刷装置、及びインクジェットメカニズムの１つ又は２つ以上を含み得る。コンタクトレンズへの着色剤の適用、又はコンタクトレンズの他の美容着色のために使用されるものなどの、コーティングの適用は既知である。本発明では、コンタクトレンズへの着色剤の適用のための方法、及び装置はまた、エネルギー源、又は他の構成要素を鋳型部分へと接着させることが可能な鋳型部分へと結合層を組み込むために適合され得る。
【０１０４】
エネルギー源、及び他の構成要素の１つ又は２つ以上を鋳型部分内に定置するための第２のオートメーション６１５もまた、鋳型部分６１４の近位にあり得る。
【０１０５】
ここで図７を参照すると、エネルギー源７１０、並びに構成要素７１２、７１４、及び７１５を有する、眼科用レンズ７００の代表的な実施形態のトップダウン型の描写が示される。この描写では、エネルギー源７１０は、媒体挿入物７００の周辺部分７１１内に図示される。エネルギー源７１０は、例えば、薄膜の再充電可能なリチウムイオン電池を含み得る。エネルギー源７１０は、接触点７１４と接続されて、相互接続を可能にし得る。ワイヤーは、接触点７１４へとワイヤー結合されたワイヤーであり、電池エネルギー源７１０にエネルギーを再印加するために使用され得る光電セル７１５へとエネルギー源７１０を接続してもよい。追加のワイヤーが、ワイヤー接続された接触子を介してエネルギー源７１０を可撓性回路相互接続へと接続してもよい。
【０１０６】
いくつかの実施形態では、眼科用レンズ７００はまた、エネルギー源７１０、並びに構成要素７１２、７１４、及び７１５をその上に取り付けた可撓性基材を含んでもよい。この可撓性基材は、前述と同様の方法で、典型的なレンズの形状に類似する形状へと形成され得る。様々な電気構成要素７１２、例えば、集積回路、別個の構成要素、受動的構成要素、及びこのような装置がまた含まれ得る。
【０１０７】
視覚ゾーン７１３がまた例示される。視覚ゾーンは光学的な変化を有さずに、光学的に受動的であってもよく、又はこれは規定の光学的補正など、規定の光学的特徴を有してもよい。更に他の実施形態は、命令によって変化し得る可変視覚構成要素を有する視覚ゾーンを含む。
【０１０８】
いくつかの実施形態では、プロセッサ装置などの構成要素を有する眼科用レンズが、眼科用レンズに組み込まれるエネルギー源７１０と適合し、眼科用レンズ内で論理機能、ないしは別のプロセスを実行するために使用され得る。
【０１０９】
ここで図８を参照すると、本発明のいくつかの実施形態によって実施され得る、いくつかの方法工程が掲載されている。請求される発明において全部、又は一部が実施されてもよいという意味において、方法工程は例示的であり、発明の範囲を制限すべきものではない。８０１では、結合層が、第１の鋳型部分に適用される。８０２において、結合層が予め重合されて、結合層の粘着性を生成する。粘着性により結合層は、エネルギー源が結合層へと受容され結合されることに、より大きく寄与する。８０３では、エネルギー源は、一般的に第１の鋳型部分のパラメーターの範囲内で結合層と接触するように位置付けられる。鋳型部分はこれにより、結合層を介して第１の鋳型部分に接着する。８０４では、反応性混合物が第１の鋳型部分内に堆積される。
【０１１０】
８０５では、第２の鋳型部分が、第１の鋳型部分の近位に定置され、レンズ形成空洞がこれにより、空洞内に含まれるエネルギー源、及び結合層、並びに眼科用レンズの形状の空洞をほぼ満たす反応性混合物を備えるように形成される。８０６では、反応性混合物が、空洞によって画定される眼科用レンズの形状内で重合される。重合は、例えば、化学線への曝露によって達成される。エネルギー源がここで、重合されたレンズ材料内に組み込まれる。８０７では、エネルギー源を有する眼科用レンズが、鋳型部分から取り出される。
【０１１１】
結論
上記の説明、及び以下の請求項によって更に定義されるとおり、本発明は、眼科用レンズを処理する方法、及びそのような方法を実行するための装置、並びにそれによって形成される眼科用レンズを提供する。
【０１１２】
〔実施の態様〕
（１）  エネルギー印加された眼科用レンズを形成する方法であって、
結合層を第１の鋳型部分に適用する工程と、
エネルギー源を、前記第１の鋳型部分に適用された前記結合層上に定置する工程と、
反応性混合物を、前記第１の鋳型部分内に堆積させる工程と、
前記反応性混合物を重合して、重合レンズ材料を含む眼科用レンズを形成する工程とを含む、方法。
（２）  前記結合層を予め重合する工程を追加的に含む、実施態様１に記載の方法。
（３）  前記結合層が、前記重合レンズ材料を有する相互貫通ポリマー網目構造を形成することができるポリマーを含む、実施態様１に記載の方法。
（４）  前記エネルギー源が可撓性基材に取り付けられ、前記可撓性基材が前記結合層と物理的に接触するように定置される、実施態様１に記載の方法。
（５）  視覚ゾーンを含む領域、及び前記視覚ゾーンの外側の領域を画定し、前記エネルギー源を前記視覚ゾーンの外側の前記領域に定置する工程を追加的に含む、実施態様１に記載の方法。
（６）  前記結合層が、ホモポリマー及びコポリマーのうちの一方又は両方を含む、実施態様１に記載の方法。
（７）  前記結合層が、官能基を有する、ポリマー及びコポリマーを含む結合ポリマーを含み、前記官能基が、前記結合ポリマーの前記ポリマー及びコポリマーを互いに相互作用可能にする、実施態様１に記載の方法。
（８）  １つ又は２つ以上の電流引き込み構成要素を位置付ける工程を追加的に含み、前記エネルギー源が、前記エネルギー源を１つ又は２つ以上の電流引き込み構成要素に接続する取り付け領域を含む、実施態様１に記載の方法。
（９）  エネルギー再印加構成要素を追加的に含む、実施態様８に記載の方法。
（１０）  前記エネルギー再印加構成要素が、光電装置、高周波吸収装置、誘導エネルギー結合装置、容量エネルギー結合装置、熱電装置、又は圧電装置（piezeoelectric device）のうちの少なくとも１つを含む、実施態様９に記載の方法。
【０１１３】
（１１）  前記エネルギー再印加構成要素が、前記エネルギー装置にエネルギーを再印加するためにエネルギーを直接供給する、実施態様１０に記載の方法。
（１２）  前記エネルギー再印加構成要素が、前記エネルギー装置にエネルギーを再印加するために、エネルギー特性変換装置によって変更されたエネルギーを供給する、実施態様１０に記載の方法。
（１３）  エネルギー再印加構成要素が光電装置を含み、外部光源を含む、実施態様１２に記載の方法。
（１４）  前記エネルギー源がリチウムイオン電池である、実施態様１に記載の方法。
（１５）  前記電池が再充電可能である、実施態様１４に記載の方法。
（１６）  前記電池が単回使用電池である、実施態様１４に記載の方法。
（１７）  前記エネルギー源が、燃料電池、コンデンサ、圧電体、又は光電体のうちの少なくとも１つを含む、実施態様１に記載の方法。
（１８）  前記電池が封入された、実施態様１４に記載の方法。
（１９）  前記電池が完全な環状の形状に成形された、実施態様１４に記載の方法。
（２０）  前記電池が部分的な環状の形状に成形された、実施態様１４に記載の方法。
【０１１４】
（２１）  前記電池の厚さが５００マイクロメートル未満である、実施態様１４に記載の方法。
（２２）  前記エネルギー源が半導体材料を含む、実施態様１に記載の方法。
（２３）  前記電流引き込み構成要素が印刷された構成成分を含む、実施態様８に記載の方法。
【図１】
0005607635.tif 000009
【図２】
0005607635.tif 000010
【図３】
0005607635.tif 000011
【図４】
0005607635.tif 000012
【図５ａ】
0005607635.tif 000013
【図５ｂ】
0005607635.tif 000014
【図５ｃ】
0005607635.tif 000015
【図５ｄ】
0005607635.tif 000016
【図６】
0005607635.tif 000017
【図７】
0005607635.tif 000018
【図８】
0005607635.tif 000019